(57)【要約】      （修正有）【課題】シール片使用時の利便性と、巻回状態の安定性とを兼ね備えたシール・ロールを提供する。【解決手段】第一シート状基材１２１の一方の面側に第一粘着剤層１２２を有してなる複数のシール片１２と、第二シート状基材１３１の一方の面側に第二剥離剤層１３３を有してなるセパレータ１３とが、第一粘着剤層１２２と第二剥離剤層１３３とが剥離可能に貼着されることにより一体化してなるシール・シート１１が巻芯に巻回されてなるシール・ロールにおいて、セパレータ１３は一連の帯状であり、シール片１２は、セパレータ１３の長さ方向に沿って一列に並んでおり、隣り合うシール片１２が互いに輪郭を接しているとともに、各シール片１２の第一粘着剤層１２２は、シール・シート１１における幅方向の少なくとも一部において、セパレータ１３に覆われていないよう構成する。【選択図】図２
2020030244.tif 000002
【特許請求の範囲】
【請求項１】
第一シート状基材の一方の面側に第一粘着剤層を有してなる複数のシール片と、第二シート状基材の一方の面側に第二剥離剤層を有してなるセパレータとが、前記第一粘着剤層と前記第二剥離剤層とが剥離可能に貼着されることにより一体化してなるシール・シートが巻芯に巻回されてなるシール・ロールにおいて、
前記セパレータは一連の帯状であり、
前記シール片は、前記セパレータの長さ方向に沿って一列に並んでおり、隣り合う前記シール片が互いに輪郭を接しているとともに、
各前記シール片の前記第一粘着剤層は、前記シール・シートにおける幅方向の少なくとも一部において、前記セパレータに覆われていないことを特徴とするシール・ロール。
【請求項２】
請求項１に記載のシール・ロールであって、
前記第一シート状基材の他方の面側に第一剥離剤層を有することを特徴とするシール・ロール。
【請求項３】
請求項１又は請求項２に記載のシール・ロールであって、
前記第二シート状基材は、前記第二剥離剤層が設けられている側の面に、前記シール片の色彩や模様とは対照的な色彩や模様の印刷が施されていることを特徴とするシール・ロール。
【請求項４】
請求項１〜３のいずれか一に記載のシール・ロールであって、
前記セパレータは、前記第二シート状基材の他方の面側に、再剥離糊からなる第二粘着剤層を有することを特徴とするシール・ロール。
【請求項５】
請求項４に記載のシール・ロールであって、
前記シール片の厚み方向において前記第一粘着剤層と反対側に位置する層と前記第二粘着剤層との境界は、前記第一粘着剤層と前記第二剥離剤層との境界と比較して剥離しやすいことを特徴とするシール・ロール。
【請求項６】
請求項４又は請求項５に記載のシール・ロールであって、
前記セパレータは、容易に分割されるよう脆弱部を有することを特徴とするシール・ロール。
【発明の詳細な説明】
【技術分野】
【０００１】
本発明は、複数のシール片を有する帯状のシート状物が巻回されてなるシール・ロールに関する。
【背景技術】
【０００２】
従来、シール片がロール状で提供されるのは、連続的に搬送されてくる量産製品に、一律の意匠のシール片を連続自動的に貼付していくためのシール片貼付装置にシール片を供給するための工業的用途が主であった。
【０００３】
ところが、近年、手帳や手紙等の装飾用に、文房具として提供されるシール片にも、持ち運びの際の利便性や見た目のかわいらしさから、ロール状のものが求められるようになってきている。
【０００４】
ここで、工業用途のシール・ロールとしては、特許文献１に従来例として記載されている、複数のシール片が剥離可能に貼着された帯状のセパレータがロール状に巻回されたものが一般的であるが、巻き重ねられたセパレータ同士に貼着関係がないためロールが解けやすく、頻繁に持ち運ぶことが想定されている文房具には不向きな構成であった。
【０００５】
これに対し、シール片の非粘着面に剥離剤層を設けることにより、シール片自体にセパレータの役割を兼ねさせ、セパレータを用いずにシール片を巻回させることで、容易に解けないシール・ロールが発明されている。
【０００６】
例えば、特許文献２には、ミシン目等の破断容易部を設けることによって単位シール片毎に分割可能とした帯状の粘着シートを巻回させたシール・ロールが開示されている。
【０００７】
また、特許文献３には、シール片の一部分を順次重ね合わせることにより帯状としたシール片連結帯をロール状に巻回したシール・ロールが開示されている。
【０００８】
しかしながら、特許文献２及び特許文献３に開示されたシール・ロールは、巻回状態が安定してはいるものの、一つのロールに複数種類の意匠からなるシール片を混在させた場合であっても、最端部に位置するシール片から使用する他なく、種類の豊富さが求められる装飾用シールに適用するには十分な構成とはいえなかった。
【０００９】
さらに、特許文献２に開示されたシール・ロールは、単位シール片毎に切り取る際に破断の手間がかかる上に、破断による輪郭線がギザギザになってしまい、多少なりとも美観を損なうことになるという問題があった。また、特許文献３に開示されたシール・ロールは、シール片同士が重なり合っているため、一見しただけでは最端部に位置するシール片を見分け難く、誤って複数枚のシール片をまとめて剥がしてしまう事態を容易に引き起こし得るものであった。
【先行技術文献】
【特許文献】
【００１０】
【特許文献１】実開平６−８７９７６号公報
【特許文献２】特開２０１４−１６４０３１号公報
【特許文献３】特開平１１−２４９５７１号公報
【発明の概要】
【発明が解決しようとする課題】
【００１１】
本発明は、従来の以上のような問題点に鑑み、シール片使用時の利便性と、巻回状態の安定性とを兼ね備えたシール・ロールを提供することにある。
【課題を解決するための手段及び発明の効果】
【００１２】
本発明の第１の側面に係るシール・ロールによれば、第一シート状基材の一方の面側に第一粘着剤層を有してなる複数のシール片と、第二シート状基材の一方の面側に第二剥離剤層を有してなるセパレータとが、前記第一粘着剤層と前記第二剥離剤層とが剥離可能に貼着されることにより一体化してなるシール・シートが巻芯に巻回されてなるシール・ロールにおいて、前記セパレータは一連の帯状であり、前記シール片は前記セパレータの長さ方向に沿って一列に並んでおり、隣り合う前記シール片が互いに輪郭を接しているとともに、各前記シール片の前記第一粘着剤層は、前記シール・シートにおける幅方向の少なくとも一部において、前記セパレータに覆われていないよう構成することができる。
【００１３】
前記構成によれば、シール片がセパレータ上に貼着されているため、最端部以外に位置するシール片を使用しても、当該シール片の位置でシール・シートが分断されることがなく、一つのロールに複数種類の意匠のシール片が混在している場合であっても、最端部に位置するシール片に限らず、所望の位置にあるシール片を使用することができる。
【００１４】
また、各シール片の粘着剤層が、帯状のシール・シートの幅方向の少なくとも一部においてセパレータに覆われていないため、シール片を使用する際にシール片の端部を摘まみ易く、セパレータから容易に剥がし取ることが可能であるとともに、巻回状態において各シール片のセパレータに覆われていない粘着剤層部分が一周分内側に巻回されているシール片に貼着することが可能であり、巻回状態の安定性を保つことができる。
【００１５】
さらにまた、各シール片が隣り合うシール片と互いに輪郭を接していることにより、シール片を任意の形状に型抜きする場合でも、シール片及びセパレータの抜きカスをシール・シートの裏側からまとめて引っ張りながら取り除くことができ、製造装置の複雑化を防止することができる。
【００１６】
また、本発明の第２の側面に係るシール・ロールによれば、前記第一シート状基材の他方の面側に第一剥離剤層を有するよう構成することができる。
【００１７】
さらにまた、本発明の第３の側面に係るシール・ロールによれば、前記第二シート状基材は、前記第二剥離剤層が設けられている側の面に、前記シール片の色彩や模様とは対照的な色彩や模様の印刷が施されているよう構成することができる。
【００１８】
前記構成によれば、使用時にシール・シートの最端部を見分けやすいシール・ロールを提供することができる。
【００１９】
さらにまた、本発明の第４の側面に係るシール・ロールによれば、前記セパレータは、前記第二シート状基材の他方の面側に、再剥離糊からなる第二粘着剤層を有するよう構成することができる。
【００２０】
前記構成によれば、シール・ロールの巻回状態がより安定するとともに、シール片剥離後のセパレータを付箋として使用することが可能となり、資源を有効活用することができる。
【００２１】
さらにまた、本発明の第５の側面に係るシール・ロールによれば、前記シール片の厚み方向において前記第一粘着剤層と反対側に位置する層と前記第二粘着剤層との境界は、前記第一粘着剤層と前記第二剥離剤層との境界と比較して剥離しやすくなるよう構成することができる。
【００２２】
前記構成によれば、巻回しているシール・シートを伸ばす際に、一周分内側に巻回されているシール片まで剥がしてしまう不都合を抑止することができる。
【００２３】
さらにまた、本発明の第６の側面に係るシール・ロールによれば、前記セパレータは、容易に分割されるよう脆弱部を有するよう構成することができる。
【００２４】
前記構成によれば、セパレータを付箋として使用する際に、セパレータの一部を切り離す作業を容易に行うことができる。
【図面の簡単な説明】
【００２５】
【図１】本発明の第一実施例に係るシール・ロールの概略斜視図であって、シール・シートの一部を伸ばした状態を表している。
【図２】本発明の第一実施例に係るシール・ロールに用いられるシール・シートの構成の説明図である。
【図３】本発明の第二実施例に係るシール・ロールに用いられるシール・シートの構成の説明図である。
【発明を実施するための形態】
【００２６】
以下、本発明の実施の形態を図面に基づいて説明する。ただし、以下に示す実施の形態は、本発明の技術思想を具体化するための例示であって、本発明はそれらを以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
（第一実施例）
（シール・ロール１の構成）
【００２７】
本発明の第一実施例に係るシール・ロール１の概略斜視図を図１に示す。図１に示すように、シール・ロール１は、複数のシール片１２がセパレータ１３に貼着されてなる帯状のシール・シート１１が、巻芯１４に巻回されてなるシール・ロールである。
（シール・シート１１）
【００２８】
シール・シート１１は、図１に示すように、複数のシール片１２がセパレータ１３に剥離可能に貼着されてなる帯状のシート状物である。
【００２９】
シール・シート１１を長さ方向に垂直な面で切断した断面を模式的に表したものが図２である。
（シール片１２）
【００３０】
シール片１２は、セパレータ１３に対面する面を粘着面とする任意形状のシート状物であり、図１に示すように、セパレータ１３の長さ方向に沿って一列に配置され、隣り合うシール片１２が互いに輪郭を接していることを特徴としている。
【００３１】
シール片１２を構成するシート状物は、図２に示すように、第一シート状基材１２１、第一粘着剤層１２２及び第一剥離剤層１２３によって構成されている。
【００３２】
第一シート状基材１２１は、シール片１２の基礎となるシート状の部材である。第一シート状基材１２１の素材には、例えば、紙や布、フィルム等を用いることができる。特に、第一シート状基材１２１に薄手の和紙を用いると、シール片１２を適度に透け感のある美観に優れたものにすることができる。
【００３３】
また、第一シート状基材１２１には、少なくともいずれか一方の面に、必要に応じて所望の色彩や模様の印刷が施されていてもよく、これにより、より多様な意匠のシール片１２を形成することができる。
【００３４】
第一粘着剤層１２２は、シール片１２の粘着面をなす層であり、第一シート状基材１２１のセパレータ１３に面する側に設けられている。第一粘着剤層１２２には、例えば、アクリル系やゴム系、シリコーン系等の粘着剤を用いることができる。また、粘着剤の粘着力は、一度貼着した後に再度剥がすことが可能な程度であることが望ましく、一般に再剥離糊と呼ばれる粘着剤が好適である。
【００３５】
第一剥離剤層１２３は、シール片１２の非粘着面（以下、「表面」と記載する。）を平滑にするために設けられる層である。第一剥離剤層１２３には、例えば、合成樹脂等を主成分とするニス剤を用いるとよい。なお、第一シート状基材１２１の種類や、シール片１２に求める質感に応じて、第一剥離剤層１２３を省略することも可能である。
【００３６】
シール片１２の各層の素材の組合せとしては、例えば、マスキングテープと同様に、第一シート状基材１２１を和紙とし、第一粘着剤層１２２に再剥離糊、第一剥離剤層１２３にニス剤を用いたものが考えられる。
（セパレータ１３）
【００３７】
セパレータ１３は、シール片１２の粘着面に対面する面を剥離面とする帯状のシート状物であり、図１に示すように、シール片１２の最大幅より小さい幅の帯状であることを特徴とする。なお、セパレータ１３の幅は一定である必要はなく、長さ方向の各部分において、当該部分に貼着されている各シール片１２の最大幅より小さい幅となるよう形成されていればよい。
【００３８】
この構成により、シール片１２の粘着面の少なくとも一部がセパレータ１３に覆われない構成となるため、各シール片１２の当該部分が一周分内側に巻回されているシール片１２の表面に貼着することが可能であり、巻回状態の安定性を保つことができる。
【００３９】
セパレータ１３を構成するシート状物は、図２に示すように、第二シート状基材１３１及び第二剥離剤層１３３によって構成されている。
【００４０】
第二シート状基材１３１は、セパレータ１３の基礎となるシート状の部材である。第二シート状基材１３１には、例えば、紙や布、フィルム等を用いることができる。
【００４１】
また、第二シート状基材１３１にも、第一シート状基材１２１と同様に、少なくともいずれか一方の面に、必要に応じて印刷が施されていてもよい。例えば、第二剥離剤層１３３が設けられる面側に、シール片１２表面の色彩や模様とは対照的な色彩や模様の印刷を施すことにより、シール・シート１１の最端部が見つかりやすいシール・ロールを提供することができる。なお、対照的な色彩や模様とは、例えば、有彩色に対して無彩色、濃色に対して淡色、無地に対して模様付き等の、各色彩又は模様の領域を互いに隣接させた場合に、その境界が明瞭であるような関係の色彩や模様のことを指す。また、第二シート状基材１３１自体がシール片１２表面の色彩や模様と対照的な色彩や模様を有している場合には、印刷を施さなくとも上記効果を奏するよう構成することができる。
【００４２】
第二剥離剤層１３３は、セパレータ１３の剥離面をなす層である。第二剥離剤層１３３には、例えば、シリコーン系剥離剤を用いるとよい。なお、シール片１２の粘着力に応じて、ニス剤等を用いることも可能である。
（巻芯１４）
【００４３】
巻芯１４は、シール・シート１１が巻き付けられる芯である。巻芯１４の素材には、紙や樹脂を用いることができる。巻芯１４の形状は円筒状又は円柱状であり、その長さはシール・シート１１の最大幅より長いことが望ましい。なお、巻芯１４の径については、任意の大きさとすることができる。また、巻芯１４の断面形状を丸角の多角形等としてもよい。
（シール・ロール１の製造方法）
【００４４】
シール・ロール１の製造方法の一例として、一般的なシール片製品に用いられるタック紙から製造する方法を以下に示す。なお、タック紙は、一般的に、図２に示すシール・シート１１の構成のうち、第一シート状基材１２１、第一粘着剤層１２２、第二剥離剤層１３３及び第二シート状基材１３１を備えたシート状物である。
【００４５】
まず、タック紙の第一シート状基材１２１側の面に必要に応じて印刷を施した後、剥離剤の塗工を行い第一剥離剤層１２３を形成する。また、タック紙の第二シート状基材１３１側の面にも必要に応じて印刷を施す。なお、第二シート状基材１３１の第二剥離剤層１３３が設けられている面側に印刷を施したい場合には、タック紙を形成する段階で、第二シート状基材１３１に第二剥離剤層１３３をなす剥離剤が塗布される前に印刷を施す必要がある。
【００４６】
続いて、前工程において形成された第一剥離剤層１２３、第一シート状基材１２１及び第一粘着剤層１２２に、シール片１２の形状に合わせた型抜き加工を行う。また、第二シート状基材１３１及び第二剥離剤層１３３に、セパレータ１３の幅に合わせたスリット加工を行う。
【００４７】
続いて、型抜きされた第一剥離剤層１２３、第一シート状基材１２１及び第一粘着剤層１２２の不要部分（以下、「シール片抜きカス」と記載する。）と、スリット加工された第二シート状基材１３１及び第二剥離剤層１３３の不要部分（以下、「セパレータ抜きカス」と記載する。）とを取り除くことによって、シール・シート１１が形成される。
【００４８】
このとき、セパレータ抜きカスの一部がシール片１２と重なっているため、セパレータ抜きカスをシール片１２側に引張ると、シール片１２がセパレータ１３から剥離してしまう虞がある。一方、シール片抜きカスは、各シール片１２が隣り合うシール片１２と互いに輪郭を接しているため、シール・シート１１の幅方向に二分されており、セパレータ１３側に引張って取り除くことが可能である。したがって、シール・シート１１の搬送位置に対してセパレータ１３側に、取り除いたシール片抜きカス及びセパレータ抜きカスを巻き取る仕組みを設けるとよい。
【００４９】
最後に、シール・シート１１を巻芯１４に巻回することによりシール・ロール１が完成する。
（シール・ロール１の提供方法）
【００５０】
シール・ロール１は、例えば、チャック付袋や開閉可能な蓋付のプラスチックケース等の専用袋や専用容器とともに提供されるとよい。これにより、購入者は、シール・ロール１を専用袋等に入れて持ち運ぶことができ、シール・ロール１と外部とのこすれ等が防止されるので、外側に位置するシール片１２が剥がれたり、シール・シート１１の巻回が解けたりする不都合が生じず便利である。
（シール・ロール１の使用方法）
【００５１】
シール・ロール１中のシール片１２を使用する際には、まず、セパレータ１３の最端部を摘まんで図１のようにシール・シート１１の一部の巻回状態を解いて伸ばし、所望のシール片１２のセパレータ１３に覆われていない部分を摘まむことで、容易に所望のシール片１２を剥がし取ることができる。所望のシール片１２を剥がし取った後は、再びシール・シート１１を巻回し直して保管するとよい。
（第二実施例）
（シール・ロール２の構成）
【００５２】
シール・ロール２は、セパレータ２３の構成を除いて、シール・ロール１と同様の構成からなるシール・ロールである。したがって、シール・ロール１と異なる構成であるセパレータ２３について以下に詳述し、その他の構成については説明を省略する。
（セパレータ２３）
【００５３】
図３は、シール・ロール２を構成するシール・シート２１を長さ方向に垂直な面で切断した断面を模式的に表した図である。
【００５４】
セパレータ２３を構成するシート状物は、図３に示すように、第二シート状基材２３１、第二剥離剤層２３３及び第二粘着剤層２３２によって構成されている。
【００５５】
ここで、第二シート状基材２３１及び第二剥離剤層２３３については、それぞれ、第二シート状基材１３１及び第二剥離剤層１３３と同様であるため、説明を省略する。
【００５６】
第二粘着剤層２３２は、セパレータ２３の非剥離面（以下、「セパレータ２３の粘着面」と記載する。）をなす層であり、再剥離糊により形成される。なお、再剥離糊であれば、アクリル系、ゴム系、シリコーン系等、いずれの粘着剤を用いてもよい。
【００５７】
この構成により、セパレータ２３の粘着面に粘着力が付与され、セパレータ２３の粘着面と、その一周分内側に巻回されているシール片２２の表面との間に適度な貼着関係がもたらされ、シール・ロール１よりさらに強固に巻回状態の安定性を保つことができる。
【００５８】
また、シール片２２剥離後に残るセパレータ２３は、付箋として使用することが可能であり、資源を有効活用することができる。例えば、セパレータ２３に、単位長さ毎に、切り取りを容易にするためのミシン目加工等を施すことにより脆弱部を設けることで、付箋としての使用のさらなる促進につながる。
【００５９】
セパレータ２３の各層の素材の組合せとしては、第二シート状基材２３１を紙とし第二剥離剤層２３３にシリコーン系の剥離剤を用いる一般的なセパレータに、再剥離糊からなる第二粘着剤層２３２を設けたもの以外にも、例えば、マスキングテープと同様に、第二シート状基材２３１を和紙とし、第二粘着剤層２３２に再剥離糊、第二剥離剤層２３３にニス剤を用いることも可能である。
（粘着剤及び剥離剤の組合せ）
【００６０】
シール・ロール２の場合、シール片２２とセパレータ２３との間に二種類の貼着関係が存在する。すなわち、シール・シート２１を形成するための、シール片２２の粘着面とセパレータ２３の剥離面との間の貼着関係と、シール・シート２１の巻回状態を維持するための、シール片２２の表面とセパレータ２３の粘着面との間の貼着関係である。
【００６１】
前者については、第一粘着剤層２２２に用いられる粘着剤と第二剥離剤層２３３に用いられる剥離剤の種類によって、後者については、第一剥離剤層２２３に用いられる剥離剤と第二粘着剤層２３２に用いられる粘着剤の種類によって、貼着の強さや剥離のしやすさが変わってくる。なお、後者の貼着関係の強度については、シール片２２に第一剥離剤層２２３が設けられていない場合には、第一シート状基材２２１と第二粘着剤層２３２に用いられる粘着剤の種類に依存することとなる。
【００６２】
貼着関係を形成する粘着剤と剥離剤との組合せとしては、例えば、粘着力の強い粘着剤と剥離性の低い剥離剤とを組み合わせることによって、容易に剥離しない貼着関係とすることができ、反対に、粘着力の弱い粘着剤と剥離性の高い剥離剤とを組み合わせることによって、容易に剥離する貼着関係とすることができる。
【００６３】
ここで、シール片２２の粘着面とセパレータ２３の剥離面との間の貼着関係は、シール片２２の表面とセパレータ２３の粘着面との貼着関係より強固であることが望ましい。例えば、第一粘着剤層２２２に強粘着の再剥離糊、第二粘着剤層２３２に弱粘着の再剥離糊を用い、第一剥離剤層２２３及び第二剥離剤層２３３にはともにニス剤を用いると、上記構成を実現することができる。また、この例とは逆に、第一粘着剤層２２２と第二粘着剤層２３２に用いられる粘着剤の強度を同程度とし、第一剥離剤層２２３に比較的剥離性の高いシリコーン系の剥離剤を、第二剥離剤層２３３にニス剤等の比較的剥離性の低い剥離剤を用いることによって、上記構成を実現させることもできる。
【００６４】
上記構成により、シール・シート２１を解いて伸ばす際に、シール・シート２１の一周分内側に位置するシール片２２まで剥離させてしまうような不都合を抑止することができる。
【産業上の利用可能性】
【００６５】
本発明に係るシール・ロールは、特に、文房具として提供される装飾用途のシール・ロールに好適に使用できる。
【符号の説明】
【００６６】
１，２…シール・ロール
１１，２１…シール・シート
１２，２２…シール片
１２１，２２１…第一シート状基材
１２２，２２２…第一粘着剤層
１２３，２２３…第一剥離剤層
１３，２３…セパレータ
１３１，２３１…第二シート状基材
２３２…第二粘着剤層
１３３，２３３…第二剥離剤層
１４…巻芯
【図１】
2020030244.tif 000003
【図２】
2020030244.tif 000004
【図３】
2020030244.tif 000005
【手続補正書】
【提出日】令和1年12月27日(2019.12.27)
【手続補正１】
【補正対象書類名】特許請求の範囲
【補正対象項目名】請求項１
【補正方法】変更
【補正の内容】
【請求項１】
第一シート状基材の一方の面側に第一粘着剤層を有してなる複数のシール片と、第二シート状基材の一方の面側に第二剥離剤層を有してなるセパレータとが、前記第一粘着剤層と前記第二剥離剤層とが剥離可能に貼着されることにより一体化してなるシール・シートが巻芯に巻回されてなるシール・ロールにおいて、
前記セパレータは一連の帯状であり、
前記複数のシール片は、前記セパレータの長さ方向に沿って一列に並んでおり、隣り合う前記シール片が互いに輪郭を接しているとともに、
前記複数のシール片の各々が、前記セパレータの両長辺から突出するよう配されることを特徴とするシール・ロール。